(57)【要約】      （修正有）【課題】並立する被加工材間の材間隙間に面する被加工孔の開口縁に対して、有利且つ簡便な面取り加工方法を提供する。【解決手段】相互に同軸状に位置する円形の被加工孔１２，２２・・が形成されている複数の被加工材１１，２１・・・が並立した状態においてそれらの被加工材間に形成される材間隙間Ｓ12，Ｓ23・・に面する側の被加工孔の開口縁１２Ｂ，２２Ａ・・を回転軸２によって回転駆動される面取りカッター３によって面取り加工する面取り加工方法において、回転軸と面取りカッターは相互に着脱自在とされており、材間隙間に面する被加工孔開口縁を面取り加工するにあたっては、面取りカッターを回転軸から取外して材間隙間内に挿入したあと、被加工孔から挿入した回転軸の先端に面取りカッターを装着するとともに、面取りカッターを被加工孔開口縁に押しつけることによって同被加工孔開口縁を面取り加工する。【選択図】図１
2008012617.tif 000002
【特許請求の範囲】
【請求項１】
相互に同軸状に位置する円形の被加工孔（１２，２２・・）が形成されている複数の被加工材（１１，２１・・・）が並立した状態においてそれらの被加工材（１１，２１・・）間に形成される材間隙間（Ｓ12，Ｓ23・・）に面する側の前記被加工孔（１２，２２・・）の開口縁（１２Ｂ，２２Ａ・・）を回転軸（２）によって回転駆動される面取りカッター（３）によって面取り加工する面取り加工方法であって、前記回転軸（２）と面取りカッター（３）は相互に着脱自在とされており、前記材間隙間（Ｓ12，Ｓ23・・）に面する被加工孔開口縁（１２Ｂ，２２Ａ・・）を面取り加工するにあたっては、前記面取りカッター（３）を前記材間隙間（Ｓ12，Ｓ23・・）内に挿入したあと、前記被加工孔（１２，２２・・）から挿入した前記回転軸（２）の先端に前記面取りカッター（３）を装着するとともに、前記回転軸（２）によって回転駆動される前記面取りカッター（３）を前記被加工孔開口縁（１２Ｂ，２２Ａ・・）に押しつけることによって同被加工孔開口縁を面取り加工することを特徴とする並立する被加工材間の被加工孔開口縁の面取り加工方法。
【発明の詳細な説明】
【技術分野】
【０００１】
本願発明は、並立する被加工材に形成されている被加工孔の面取り加工方法に関し、さらに詳しくは、並立する被加工材相互間の隙間（材間隙間）に面する側の被加工孔開口縁の面取り加工方法に関するものである。
【背景技術】
【０００２】
たとえば、油圧、空圧シリンダー等のように一端側に枢動軸を有する部材を枢動自在に軸支する場合には、並立する一対の支持部材（ブラケット）にそれぞれ当該枢動軸を軸支するための同軸状の円形孔をドリルで加工するが、その場合、ドリルで加工された円形孔の開口縁にはいわゆる「バリ」が発生する。
【０００３】
こり「バリ」は、従来は図５に示すように並立する被加工材１１１，１２１に形成した被加工孔１１２，１２２の一面側（開放面１１１Ａ，１２１Ｂ側）の開口縁１１２Ａ，１２２Ｂは回転式の面取りカッター１０３によって面取り加工（バリ取り）する一方、被加工材１１１，１２１間の材間隙間Ｓ112に面する被加工孔の開口縁１１２Ｂ，１２２Ａに発生するバリ（いわゆる「裏バリ」）については図６（Ａ）又は図７（Ａ）に示すようにヤスリ１３３やボール砥石１４３等によって仕上げ加工していた。
【０００４】
ところで図６（Ａ）に示すようなヤスリ加工ではヤスリの直線運動による加工であるために、被加工孔の開口縁に図６（Ｂ）に示すようなヤスリ痕１３３Ａが残り、また図７（Ａ）に示すようなボール砥石加工の場合でも図７（Ｂ）に示すように被加工孔の開口縁に対してボール砥石の側周面が当接することによる特有のヤスリ加工痕１４３Ａが残るという問題があるほか、それぞれその面取り加工作業のために比較的長い加工時間（１個所あたり４〜５分）がかかるという問題があった。
【０００５】
なお、本願発明者の調査した範囲では並立する被加工材間の被加工孔開口縁に発生する「裏バリ」に対する何らかの有効な加工方法を開示した文献は発見することはできなかった。
【発明の開示】
【発明が解決しようとする課題】
【０００６】
本願発明は上述のような技術的背景のもとになされたもので、並立する被加工材間にあるの被加工孔開口縁に対する有利且つ簡便な面取り加工方法を提案しようとするものである。
【課題を解決するための手段】
【０００７】
本願発明にかかる、並立する被加工材間の被加工孔開口縁の面取り加工方法は、先ず、相互に同軸状に位置する円形の被加工孔が形成されている複数の被加工材が並立した状態においてそれらの被加工材間に形成される材間隙間に面する側の前記被加工孔の開口縁を回転軸によって回転駆動される面取りカッターによって面取り加工する面取り加工方法である。そして、前記回転軸と面取りカッターは相互に着脱自在とされており、前記材間隙間に面する被加工孔の開口縁を面取り加工するにあたっては、前記面取りカッターを前記材間隙間内に挿入したあと、前記被加工孔から挿入した前記回転軸の先端に前記面取りカッターを装着するとともに、前記回転軸によって回転駆動される前記面取りカッターを前記被加工孔の開口縁に押しつけることによって同被加工孔開口縁を面取り加工することを特徴とするものである。
【発明の効果】
【０００８】
本願発明の並立する被加工材間の被加工孔開口縁の面取り加工方法は、上記したように、面取り加工用の面取りカッターをその回転駆動用の回転軸に対して相互に着脱自在とし、並立する被加工材間の材間隙間に面する被加工孔開口縁を面取り加工するにあたっては、面取りカッターを被加工材間の材間隙間に挿入したあと、これを被加工材の被加工孔から挿入した回転軸の先端部に装着することにより、同面取りカッターが並立する被加工材間で被加工孔の（材間隙間に面する）開口縁に向かって、軸方向から対向して回転し得るものとなり、その結果、材間隙間に面する被加工孔の開口縁においても開放側の被加工孔開口縁に対すると同様の面取り加工を行うことができ、延いては不良なバリ取り痕のない面取り加工を、しかも従来に比して短時間で（たとえば、熟練者では５〜１０秒程度で）行い得るという効果がある。
【発明を実施するための最良の形態】
【０００９】
続いて添付の図１ないし図４を参照して本願発明の実施例にかかる面取り加工方法をさらに詳細に説明すると、図４には、本願発明の実施例にかかる面取り加工方法で使用可能な電動式の面取り加工装置（手持操作型面取り加工機）の分解図が示されており、同図に示されている面取り加工機は、手持操作型の電動式面取り加工機本体１のチャック４に把持されて回転駆動される回転軸２と、同回転軸２の先端部に着脱自在に装着される面取りカッター３とをそなえて構成されている。回転軸２の先端部２ａは正六角形状の断面を有しており、これが面取りカッター３の中心部に形成されている同大・同形（正六角形状）の受穴３ａと着脱自在に嵌合するようになっている。一方、チャック４に把持される回転軸２の基端部２ｂは、この実施例では円形とされている。これは、面取りカッター３によって被加工孔開口縁の面取り加工を行うに際して、回転軸２に大きな回転反力が加わる場合があり、それによって面取り加工機本体１に大きな逆回転力が発生する（それによって面取り加工機保持者の腕に過大な逆回転力が加わる）のを防止するためである。すなわち、回転軸２に対して面取りカッター３側から過大な回転反力が加わる場合でも、回転軸２の基端部２ｂは円形（丸棒状）となっているため、同回転軸基端部２ｂとチャック４との間で「スベリ」を生じ、過大な回転反力が面取り加工機本体１側に伝播するのを防止することになるのである。なお、本願発明の面取り加工方法は、図示実施例のように手持操作型の面取り加工機を使用して行う場合に限らず、ボール盤等の据置型工作機械を使用して行うこともでき、その場合には、回転軸２による逆回転力を考慮する必要もないため、回転軸２の基端部２ｂをことさら円形にする必要もない。
【００１０】
本願発明の面取り加工方法で使用する面取りカッターには特に限定がない。すなわち、カッター刃の材質、形状、直径、軸方向寸法等、被加工材の材質や被加工孔の直径、被加工材間の隙間間隔等に会わせて自由に選択することができる。被加工材の材質も鋼材、合金材等のほか、アクリル等のプラスチック材についても本願発明の面取り加工方法を適用することができる。
【００１１】
本願発明の面取り加工方法を実施するにあたり、被加工材間の隙間間隔が手指を挿入できる程度に広い場合は、手指でもって被加工材間の隙間（材間隙間）に面取りカッターを出し入れすることができるが、材間隙間の間隔が手指が入らない程に狭い場合は、別製の保持具を用いて面取りカッターを材間隙間内に出し入れし得るようにするとよい。
【００１２】
次に、本願発明の実施例にかかる被加工孔開口縁の面取り加工方法の具体的手順を説明すると、図１（Ａ），（Ｂ），（Ｃ）には本願発明の実施例にかかる、並立する被加工材１１，２１間の被加工孔開口縁（１２Ｂ，２２Ａ）の面取り加工方法を実施するための一例が図示されている。図１（Ａ）は、同軸状に形成された被加工孔（１２，２２）を有する並立する被加工材１１，２１間のうちの第１の被加工材１１の被加工孔１２の一方の開口縁１２Ａ（並立する被加工材１１，２１間に形成される材間隙間Ｓ12に面する開口縁１２Ｂとは反対側の開放側の開口縁）を面取り加工する状況を示している。この図１（Ａ）に示す状態においては、回転軸２によって回転駆動される面取りカッター３を単に第１の被加工孔１２の（開放側）開口縁１２Ａに押し当てるだけで同第１の被加工孔１２の開放側の開口縁１２Ａに対する面取り加工を行うことができる。
【００１３】
このような、側方が開放された被加工孔開口縁１２Ａに対する面取り加工作業は従来と同じ方法で行えばよく、この点は他方の（第２の）被加工材２１における第２の被加工孔２２の開口縁２２Ａ，２２Ｂのうちの側方が開放されている被加工孔開口縁２２Ｂを面取り加工する場合についても同様である（図２（Ａ）参照）。
【００１４】
次に、図１（Ｂ），（Ｃ）は、並立する被加工材１１，２１のうちの第２の被加工材２１に形成されている被加工孔（第２の被加工孔）２２の一方の開口縁（並立する被加工材１１，２１間に形成される材間隙間Ｓ12に面する隙間Ｓ12側の開口縁）２２Ａを面取り加工する場合の手順を示している。すなわち、この場合は、手持操作式面取り加工機本体などの駆動手段１の回転軸２の先端から面取りカッター３を取外したのち、これを一対の並立する被加工材１１，１２間の隙間（材間隙間）Ｓ12に入れ（図１（Ｂ））、その後、同面取りカッター３を第１の被加工材１１の被加工孔１２から材間隙間Ｓ12へ向けて挿入した回転軸２の先端に再装着する。そして、そのあと回転する面取りカッター３を第２の被加工材２１側の被加工孔２２の隙間側の開口縁（材間隙間Ｓ12側に面する開口縁）２２Ａに押しつければ、材間隙間Ｓ12側に面する隙間側の開口縁２２Ａについても（さきに説明した第１の被加工材１１における被加工孔開口縁１２Ａ又は第２の被加工材２１における被加工孔開口縁２２Ｂに対すると同様の）良好な面取り加工を行うことができる。なお、材間隙間Ｓ12に面する２つの被加工孔開口縁１２Ｂ，２２Ａのうちの第１の被加工材１１側の被加工孔開口縁１２Ｂに対する面取り加工についても、さきに図１（Ｂ），（Ｃ）を使用して説明したのと同様の手順で行うことができる。すなわち、この場合は、駆動手段１の回転軸２の先端から面取りカッター３を取外したのち、これを一対の並立する被加工材１１，１２間の隙間（材間隙間）Ｓ12に入れ（図２（Ｂ））、その後、同面取りカッター３を第２の被加工材２１の被加工孔２２から材間隙間Ｓ12へ向けて挿入した回転軸２の先端に再装着する。そして、そのあと回転する面取りカッター３を第１の被加工材１１側の第１の被加工孔１２の隙間側の開口縁（材間隙間Ｓ12側に面する開口縁）１２Ｂに押しつければ、材間隙間Ｓ12側に面する隙間側の開口縁１２Ｂについても（さきに説明した第２の被加工材２１における被加工孔開口縁２２Ａに対すると同様の）良好な面取り加工を行うことができる。
【００１５】
また、本願発明の方法は、並立する被加工材が２個の場合だけでなく、３つ以上の場合についても実施することができる。
【００１６】
図３（Ａ）．（Ｂ），（Ｃ）は並立する被加工材が３つある場合の例を示しているが、この例の場合においては、３つの被加工材１１，２１，３１の間に形成される２つの材間隙間Ｓ12，Ｓ23に面する４つの被加工孔開口縁（１２Ｂ，２２Ａ，２２Ｂ，３２Ａ）についてさきに図１（Ｂ），（Ｃ）及び図２（Ｂ），（Ｃ）を使用して説明したのと同じ方法で面取り加工を行うことができる。ただし、この図３の例の場合は、面取りカッター３が第１の被加工材１１の被加工孔開口縁１１Ｂと第３の被加工材３１の被加工孔開口縁３２Ａに達することができるように回転軸２の長さが選定される。
【図面の簡単な説明】
【００１７】
【図１】本願発明の実施例にかかる面取り加工方法の作業手順の説明図である。
【図２】図１に示す面取り加工方法の他の作業手順の説明図である。
【図３】本願発明の他の実施例にかかる面取り加工方法の作業手順の説明図である。
【図４】本願発明の面取り加工方法で使用し得る面取り加工機の分解説明図である。
【図５】従来から行われている面取り加工方法の説明図である。
【図６】従来から行われている他の面取り加工方法の説明図である。
【図７】従来から行われているさらに他の面取り加工方法の説明図である。
【符号の説明】
【００１８】
１は駆動手段、２は回転軸、３は面取りカッター、４はチャック、１１，２１，３１は被加工材、１２，２２，３２は被加工孔、１２Ａ，１２Ｂ，２２Ａ，２２Ｂ，３２Ａ，３２Ｂは被加工孔の開口縁、Ｓ12，Ｓ23は被加工材間の材間隙間である。
【図１】
2008012617.tif 000003
【図２】
2008012617.tif 000004
【図３】
2008012617.tif 000005
【図４】
2008012617.tif 000006
【図５】
2008012617.tif 000007
【図６】
2008012617.tif 000008
【図７】
2008012617.tif 000009